【手続補正書】
【提出日】平成25年9月9日(2013.9.9)
【手続補正１】
【補正対象書類名】特許請求の範囲
【補正対象項目名】全文
【補正方法】変更
【補正の内容】
【特許請求の範囲】
【請求項１】
哺乳動物の身体から突出する装置（３４）の吐出口に連結するように適合された医療用閉鎖装置（１；２２）であって、
前記医療用閉鎖装置（１；２２）は、前記哺乳動物の身体から突出する装置の一部に係合するための連結部品（２；２４）を備え、
前記連結部品（２；２４）は、連結口（６；２６）の範囲を定める円周可撓性部材（５；２５）であり、前記連結口は、前記連結口（６；２６）が前記医療装置（３４）を通すことができない弛緩構成と、前記連結部品（２；２４）の前記連結口（６；２６）が前記医療装置（３４）を通すことができる応力構成との間で構成可能であり、
前記連結部品（２；２４）の前記連結口（６；２６）は、前記弛緩構成において、長半径（Ｓｍａｊｏｒ）より小さい短半径（Ｓｍｉｎｏｒ）を有し、
前記短半径（Ｓｍｉｎｏｒ）は、前記連結口（６；２６）が前記医療装置（３４）を通す前の前記連結部品（２；２４）の前記弛緩構成において、前記連結口（６；２６）によって包囲されるべき前記医療装置（３４）の外半径より小さいかまたは等しい、
医療用閉鎖装置（１；２２）。
【請求項２】
前記医療用閉鎖装置は、前記吐出口を閉鎖するための閉鎖部品に接続されるように適合されている、請求項１に記載の医療用閉鎖装置（１；２２）。
【請求項３】
前記連結口（６；２６）は、前記弛緩構成において実質的に楕円形である、請求項１に記載の医療用閉鎖装置（１；２２）。
【請求項４】
前記連結口（６；２６）は、前記応力構成において実質的に円形である、請求項１または２に記載の医療用閉鎖装置（１；２２）。
【請求項５】
前記応力構成における前記連結部品（２；２４）の前記連結口（６；２６）の前記長半径（Ｓｍａｊｏｒ）は、
−前記連結部品（２；２４）の前記弛緩構成におけるよりも小さいか、
−前記連結部品（２；２４）の前記弛緩構成における前記短半径（Ｓｍｉｎｏｒ）と等しいまたはより小さいか、または
−前記連結部品（２；２４）の前記応力構成における前記短半径（Ｓｍａｊｏｒ）よりも小さい、
請求項１〜４のうちのいずれかに記載の医療用閉鎖装置（１；２２）。
【請求項６】
前記連結部品（２；２４）は、前記医療装置（３４）に係合するための係合手段（５；２５；７ａ、７ｂ；３３ａ、３３ｂ）を有し、および／または、前記連結部品（２；２４）は、前記連結部品を閉鎖部品（３；２３）に固定するための固定手段（１１ａ、１１ｂ、１１ｃ、１１ｄ；２７ａ、２７ｂ）を有する、請求項１〜５のうちのいずれかに記載の医療用閉鎖装置（１；２２）。
【請求項７】
前記医療用閉鎖装置（３４）は、前記医療装置（３４）に向かって密封するための密封手段（４；１９；３５）を備える、請求項１〜６のうちのいずれかに記載の医療用閉鎖装置（１；２２）。
【請求項８】
前記密封手段は、シールリング（４；１９；３５）を備える、請求項７に記載の医療用閉鎖装置（１；２２）。
【請求項９】
前記密封手段は、シールディスクを備える、請求項７に記載の医療用閉鎖装置（１；２２）。
【請求項１０】
前記連結部品（２；２４）を形成する前記円周可撓性部材（５；２５）は、少なくとも１つの開口部（１３ａ、１３ｂ、１３ｃ、１３ｄ）、貫通口、または切り欠きを有する、請求項１〜９のうちのいずれかに記載の医療用閉鎖装置（１；２２）。
【請求項１１】
前記連結部品（２；２４）は、前記閉鎖部品（３；２３）への取付けおよび前記閉鎖部品からの取り外し中に、前記連結部品（２；２４）を少なくとも操作するための第１の把持手段（９ａ、９ｂ；３１ａ、３１ｂ）を有し、および／または、前記連結部品（２４）は、前記弛緩構成と前記応力構成との間およびその逆における、前記連結口（６）の構成中に、前記連結部品（２）を少なくとも把持するための第２の把持手段（１０ａ、１０ｂ）を有する、請求項６から１０のうちのいずれかに記載の医療用閉鎖装置（１；２２）。
【請求項１２】
前記第１の把持手段（９ａ、９ｂ；３１ａ、３１ｂ）は、前記短半径（Ｓｍｉｎｏｒ）に沿って配置され、前記第２の把持手段（１０ａ、１０ｂ）は、前記長半径に沿って配置される、請求項１１に記載の医療用閉鎖装置（１；２２）。
【請求項１３】
前記閉鎖部品（３；２３）は、前記閉鎖部品（３；２３）と前記連結部品（２；２４）との取付けおよび取り外し中に、随意で、前記閉鎖部品（３）と前記連結部品（２）との螺合および螺合解除中に、随意で、前記閉鎖部品（２４）、前記連結部品（２３）、前記医療装置（３４）のうちのいずれかを一緒にスナップ嵌めまたはスナップ締結する間、およびスナップ嵌めまたはスナップ締結を解除する間に、前記閉鎖部品（３；２３）を把持するための第３の把持手段（１４；３２ａ、３２ｂ）を備える、請求項６から１２のうちのいずれかに記載の医療用閉鎖装置（１；２２）。
【請求項１４】
前記閉鎖部品（３；２３）は、少なくとも前記連結部品（２；２４）の一部と哺乳動物の身体から突出する前記医療装置（３４）の一部とを収容するための凹所（１９；３０）を有する、請求項６から１３のうちのいずれかに記載の閉鎖装置（１；２２）。
【請求項１５】
前記連結部品（２；２４）または前記閉鎖部品（３；２３）のうちの少なくとも１つは、形状記憶を有する可撓性材料でできているか、または構造設計による形状記憶を有する、請求項６から１４のうちのいずれかに記載の閉鎖装置（１；２２）。
【請求項１６】
前記閉鎖部品（３；２３）は、キャップ、オストミーバッグ、カテーテル、または順向洗浄装置等の洗浄装置を含む群から選択される、請求項１〜１５のうちのいずれかに記載の閉鎖装置（１；２２）。
【請求項１７】
請求項１から１６のうちのいずれかに記載の閉鎖装置（１；２２）を、哺乳動物の身体から突出する医療装置（３４）に適用する方法であって、前記方法は、
−前記連結口（６；２６）が前記哺乳動物の身体から突出する前記医療装置（３４）の一部を通すことを可能にするために、前記連結部品（２；２４）に外力を加えることによって、前記短半径（Ｓｍｉｎｏｒ）の長さを増大させるステップと、
−前記医療装置（３４）の突出部分を包囲するように前記連結部品（２；２４）を配置するステップと、
−前記連結部品（２；２４）が少なくとも部分的に前記弛緩構成に戻ることを可能にするために、前記外力を緩めるステップと、
−前記閉鎖部品（３；２３）を前記連結部品（２；２４）上に配置するステップと
を含む、方法。
【請求項１８】
前記連結部品（２；２４）と前記閉鎖部品（３；２３）とは、一緒に螺合されるか、または一緒にスナップ嵌めされる、請求項１７に記載の方法。
【請求項１９】
医療用インプラント（３４）、好ましくはオストミー用インプラント（３４）の閉鎖のための請求項１から１６のうちのいずれかに記載の医療用閉鎖装置（１；２２）の使用。
【請求項２０】
請求項１から１６のうちのいずれかに記載の医療用閉鎖装置に取り付けるために適合された閉鎖部品。
【請求項２１】
前記閉鎖部品を前記医療用閉鎖装置の前記連結部品に固定するための固定手段を備える、請求項２０に記載の閉鎖部品。
【請求項２２】
請求項１から１６のうちのいずれかに記載の医療用閉鎖装置と、
前記閉鎖装置を閉鎖するために、前記医療用閉鎖装置に取り付けるために適合された閉鎖部品と
を備えるキット。
【請求項２３】
医療用閉鎖装置を哺乳動物の身体から突出する装置の吐出口に連結する方法であって、前記医療用閉鎖装置は、前記哺乳動物の身体から突出する前記装置の一部に係合するための連結部品を備え、前記連結部品は、連結口の範囲を定める円周可撓性部材であり、前記方法は、
弛緩構成の連結部品に力を加えることにより、前記連結口が前記装置の突出部分を通すことができる応力構成に前記連結部品を設置するステップと、
前記連結口を前記装置の突出部分の周囲に配置するステップと、
前記弛緩構成に前記連結部品が少なくとも部分的に戻るように前記連結部品への力を緩めるステップと
を含み、
前記弛緩構成において、前記連結部品は、前記装置の突出部分を通さず、その結果、前記医療用閉鎖装置が、前記哺乳動物の身体から突出する前記装置に取り付けられ、
前記連結部品（２；２４）の前記連結口（６；２６）は、前記弛緩構成において、長半径（Ｓｍａｊｏｒ）より小さい短半径（Ｓｍｉｎｏｒ）を有し、
前記短半径（Ｓｍｉｎｏｒ）は、前記連結口（６；２６）が前記医療装置（３４）を通す前の前記連結部品（２；２４）の前記弛緩構成において、前記連結口（６；２６）によって包囲されるべき前記医療装置（３４）の外半径より小さいかまたは等しい、
方法。
【請求項２４】
前記弛緩構成において、前記連結口は、実質的に楕円形である、請求項２３に記載の方法。
【請求項２５】
前記応力構成において、前記連結口は、前記弛緩構成におけるより楕円形ではない、請求項２４に記載の方法。
【請求項２６】
前記応力構成において、前記連結口は、実質的に円形である、請求項２３、２４、または２５に記載の方法。
【請求項２７】
前記連結部品は、前記連結部品に圧力を加えることにより、前記弛緩構成と前記応力構成との間で変形可能である、請求項１から１６のうちのいずれかに記載の医療用閉鎖装置。
【請求項２８】
前記連結部品は、前記連結部品の対向する側に圧力を加えることにより、前記弛緩構成と前記応力構成との間で変形可能である、請求項２７に記載の医療用閉鎖装置。
【請求項２９】
前記連結部品は、圧力が解放されると、前記連結部品が少なくとも部分的に前記弛緩構成に戻るように適合されている、請求項２７または２８に記載の医療用閉鎖装置。
【手続補正２】
【補正対象書類名】明細書
【補正対象項目名】００１１
【補正方法】変更
【補正の内容】
【００１１】
本発明は、例えば、以下を提供する：
（項目１）
哺乳動物の身体から突出する装置（３４）の吐出口に連結するように適合された医療用閉鎖装置（１；２２）であって、
前記医療用閉鎖装置（１；２２）は、前記哺乳動物の身体から突出する装置の一部に係合するための連結部品（２；２４）を備え、
前記連結部品（２；２４）は、連結口（６；２６）の範囲を定める円周可撓性部材（５；２５）であり、前記連結口は、前記連結口（６；２６）が前記医療装置（３４）を通すことができない弛緩構成と、前記連結部品（２；２４）の前記連結口（６；２６）が前記医療装置（３４）を通すことができる応力構成との間で構成可能である、
医療用閉鎖装置（１；２２）。
（項目２）
前記医療用閉鎖装置は、前記吐出口を閉鎖するための閉鎖部品に接続されるように適合されている、項目１に記載の医療用閉鎖装置（１；２２）。
（項目３）
前記連結口（６；２６）は、前記弛緩構成において実質的に楕円形である、項目１に記載の医療用閉鎖装置（１；２２）。
（項目４）
前記連結口（６；２６）は、前記応力構成において実質的に円形である、項目１または２に記載の医療用閉鎖装置（１；２２）。
（項目５）
前記連結部品（２；２４）の前記連結口（６；２６）は、前記弛緩構成において、長半径（Ｓｍａｊｏｒ）より小さい短半径（Ｓｍｉｎｏｒ）を有し、
前記短半径（Ｓｍｉｎｏｒ）は、前記連結口（６；２６）が前記医療装置（３４）を通す前の前記連結部品（２；２４）の前記弛緩構成において、前記連結口（６；２６）によって包囲されるべき前記医療装置（３４）の外半径より小さいかまたは等しい、項目１〜４のうちのいずれかに記載の医療用閉鎖装置（１；２２）。
（項目６）
前記応力構成における前記連結部品（２；２４）の前記連結口（６；２６）の前記長半径（Ｓｍａｊｏｒ）は、
−前記連結部品（２；２４）の前記弛緩構成におけるよりも小さいか、
−前記連結部品（２；２４）の前記弛緩構成における前記短半径（Ｓｍｉｎｏｒ）と等しいまたはより小さいか、または
−前記連結部品（２；２４）の前記応力構成における前記短半径（Ｓｍａｊｏｒ）よりも小さい、
項目５に記載の医療用閉鎖装置（１；２２）。
（項目７）
前記連結部品（２；２４）は、前記医療装置（３４）に係合するための係合手段（５；２５；７ａ、７ｂ；３３ａ、３３ｂ）を有し、および／または、前記連結部品（２；２４）は、前記連結部品を閉鎖部品（３；２３）に固定するための固定手段（１１ａ、１１ｂ、１１ｃ、１１ｄ；２７ａ、２７ｂ）を有する、項目１〜６のうちのいずれかに記載の医療用閉鎖装置（１；２２）。
（項目８）
前記医療用閉鎖装置（３４）は、前記医療装置（３４）に向かって密封するための密封手段（４；１９；３５）を備える、項目１〜７のうちのいずれかに記載の医療用閉鎖装置（１；２２）。
（項目９）
前記密封手段は、シールリング（４；１９；３５）を備える、項目８に記載の医療用閉鎖装置（１；２２）。
（項目１０）
前記密封手段は、シールディスクを備える、項目８に記載の医療用閉鎖装置（１；２２）。
（項目１１）
前記連結部品（２；２４）を形成する前記円周可撓性部材（５；２５）は、少なくとも１つの開口部（１３ａ、１３ｂ、１３ｃ、１３ｄ）、貫通口、または切り欠きを有する、項目１〜１０のうちのいずれかに記載の医療用閉鎖装置（１；２２）。
（項目１２）
前記連結部品（２；２４）は、前記閉鎖部品（３；２３）への取付けおよび前記閉鎖部品からの取り外し中に、前記連結部品（２；２４）を少なくとも操作するための第１の把持手段（９ａ、９ｂ；３１ａ、３１ｂ）を有し、および／または、前記連結部品（２４）は、前記弛緩構成と前記応力構成との間およびその逆における、前記連結口（６）の構成中に、前記連結部品（２）を少なくとも把持するための第２の把持手段（１０ａ、１０ｂ）を有する、項目７から１１のうちのいずれかに記載の医療用閉鎖装置（１；２２）。
（項目１３）
前記第１の把持手段（９ａ、９ｂ；３１ａ、３１ｂ）は、前記短半径（Ｓｍｉｎｏｒ）に沿って配置され、前記第２の把持手段（１０ａ、１０ｂ）は、前記長半径に沿って配置される、項目１２に記載の医療用閉鎖装置（１；２２）。
（項目１４）
前記閉鎖部品（３；２３）は、前記閉鎖部品（３；２３）と前記連結部品（２；２４）との取付けおよび取り外し中に、随意で、前記閉鎖部品（３）と前記連結部品（２）との螺合および螺合解除中に、随意で、前記閉鎖部品（２４）、前記連結部品（２３）、前記医療装置（３４）のうちのいずれかを一緒にスナップ嵌めまたはスナップ締結する間、およびスナップ嵌めまたはスナップ締結を解除する間に、前記閉鎖部品（３；２３）を把持するための第３の把持手段（１４；３２ａ、３２ｂ）を備える、項目７から１３のうちのいずれかに記載の医療用閉鎖装置（１；２２）。
（項目１５）
前記閉鎖部品（３；２３）は、少なくとも前記連結部品（２；２４）の一部と哺乳動物の身体から突出する前記医療装置（３４）の一部とを収容するための凹所（１９；３０）を有する、項目７から１４のうちのいずれかに記載の閉鎖装置（１；２２）。
（項目１６）
前記連結部品（２；２４）または前記閉鎖部品（３；２３）のうちの少なくとも１つは、形状記憶を有する可撓性材料でできているか、または構造設計による形状記憶を有する、項目７から１５のうちのいずれかに記載の閉鎖装置（１；２２）。
（項目１７）
前記閉鎖部品（３；２３）は、キャップ、オストミーバッグ、カテーテル、または順向洗浄装置等の洗浄装置を含む群から選択される、項目１〜１６のうちのいずれかに記載の閉鎖装置（１；２２）。
（項目１８）
項目１から１７のうちのいずれかに記載の閉鎖装置（１；２２）を、哺乳動物の身体から突出する医療装置（３４）に適用する方法であって、前記方法は、
−前記連結口（６；２６）が前記哺乳動物の身体から突出する前記医療装置（３４）の一部を通すことを可能にするために、前記連結部品（２；２４）に外力を加えることによって、前記短半径（Ｓｍｉｎｏｒ）の長さを増大させるステップと、
−前記医療装置（３４）の突出部分を包囲するように前記連結部品（２；２４）を配置するステップと、
−前記連結部品（２；２４）が少なくとも部分的に前記弛緩構成に戻ることを可能にするために、前記外力を緩めるステップと、
−前記閉鎖部品（３；２３）を前記連結部品（２；２４）上に配置するステップと
を含む、方法。
（項目１９）
前記連結部品（２；２４）と前記閉鎖部品（３；２３）とは、一緒に螺合されるか、または一緒にスナップ嵌めされる、項目１８に記載の方法。
（項目２０）
医療用インプラント（３４）、好ましくはオストミー用インプラント（３４）の閉鎖のための項目１から１７のうちのいずれかに記載の医療用閉鎖装置（１；２２）の使用。
（項目２１）
項目１から１７のうちのいずれかに記載の医療用閉鎖装置に取り付けるために適合された閉鎖部品。
（項目２２）
前記閉鎖部品を前記医療用閉鎖装置の前記連結部品に固定するための固定手段を備える、項目２１に記載の閉鎖部品。
（項目２３）
項目１から１７のうちのいずれかに記載の医療用閉鎖装置と、
前記閉鎖装置を閉鎖するために、前記医療用閉鎖装置に取り付けるために適合された閉鎖部品と
を備えるキット。
（項目２４）
医療用閉鎖装置を哺乳動物の身体から突出する装置の吐出口に連結する方法であって、前記医療用閉鎖装置は、前記哺乳動物の身体から突出する前記装置の一部に係合するための連結部品を備え、前記連結部品は、連結口の範囲を定める円周可撓性部材であり、前記方法は、
弛緩構成の連結部品に力を加えることにより、前記連結口が前記装置の突出部分を通すことができる応力構成に前記連結部品を設置するステップと、
前記連結口を前記装置の突出部分の周囲に配置するステップと、
前記弛緩構成に前記連結部品が少なくとも部分的に戻るように前記連結部品への力を緩めるステップと
を含み、
前記弛緩構成において、前記連結部品は、前記装置の突出部分を通さず、その結果、前記医療用閉鎖装置が、前記哺乳動物の身体から突出する前記装置に取り付けられる、
方法。
（項目２５）
前記弛緩構成において、前記連結口は、実質的に楕円形である、項目２４に記載の方法。
（項目２６）
前記応力構成において、前記連結口は、前記弛緩構成におけるより楕円形ではない、項目２５に記載の方法。
（項目２７）
前記応力構成において、前記連結口は、実質的に円形である、項目２４、２５、または２６に記載の方法。
（項目２８）
前記連結部品は、前記連結部品に圧力を加えることにより、前記弛緩構成と前記応力構成との間で変形可能である、項目１から１７のうちのいずれかに記載の医療用閉鎖装置。
（項目２９）
前記連結部品は、前記連結部品の対向する側に圧力を加えることにより、前記弛緩構成と前記応力構成との間で変形可能である、項目２８に記載の医療用閉鎖装置。
（項目３０）
前記連結部品は、圧力が解放されると、前記連結部品が少なくとも部分的に前記弛緩構成に戻るように適合されている、項目２８または２９に記載の医療用閉鎖装置。
第１の態様に従って、本発明は哺乳動物の身体から突出する装置の吐出口に連結するように適合された医療用閉鎖装置であって、医療用閉鎖装置は該哺乳動物の身体から突出する装置の一部に係合するための連結部品を備え、該連結部品は、連結口が該医療装置を通すことができない弛緩構成と、該連結部品の連結口が該医療装置を通すことができる応力構成との間で構成可能な連結口の範囲を定める、円周可撓性部材である、医療用閉鎖装置を提供する。